(57)【要約】【課題】本発明は、拡張コネクタによる異なる信号の伝送を行う拡張コネクタを備えたマザーボードを提供することである。【解決手段】本発明に係る拡張コネクタを備えたマザーボードは、ＣＰＵと、拡張カードに着脱可能に接続される拡張コネクタと、前記ＣＰＵに電気的に接続されたスイッチと、前記スイッチに電気的に接続されたコントローラーと、を備え、前記ＣＰＵと前記スイッチとの間では第一バス信号が伝送され、前記コントローラーと前記スイッチとの間では第二バス信号が伝送され、前記スイッチは、前記拡張コネクタに電気的に接続され、前記拡張コネクタを前記ＣＰＵ又は前記コントローラーに選択的に接続させ、前記第一バス信号又は前記第二バス信号を伝送する。【選択図】図１
2013161477.tif 000002
【特許請求の範囲】
【請求項１】
ＣＰＵと、拡張カードに着脱可能に接続される拡張コネクタと、前記ＣＰＵに電気的に接続されたスイッチと、前記スイッチに電気的に接続されたコントローラーと、を備え、前記ＣＰＵと前記スイッチとの間では、第一バス信号が伝送され、前記コントローラーと前記スイッチとの間では、第二バス信号が伝送され、前記スイッチは、前記拡張コネクタに電気的に接続され、前記拡張コネクタを前記ＣＰＵ又は前記コントローラーに選択的に接続させ、前記第一バス信号又は前記第二バス信号を伝送することを特徴とする拡張コネクタを備えたマザーボード。
【請求項２】
前記第一バス信号は、ピーシーアイエクスプレス信号であり、前記第二バス信号は、ＳＡＳ信号であることを特徴とする請求項１に記載の拡張コネクタを備えたマザーボード。
【請求項３】
前記拡張コネクタは、ピーシーアイエクスプレスコネクタであり、ピーシーアイエクスプレス拡張カード又はＳＡＳ拡張カードに差し込むために用いられることを特徴とする請求項２に記載の拡張コネクタを備えたマザーボード。
【請求項４】
前記拡張コネクタを備えたマザーボードは、切替制御部をさらに備え、前記切替制御部は、ジャンパブロック及び前記スイッチに電気的に接続されるジャンパプラグを備え、前記ジャンパプラグは、金属製のピンＡ、Ｂ、Ｃを含み、前記ジャンパブロックは、異なるピンに選択的に差して対応するピン同士を電気接続させることによって、前記スイッチを制御して、拡張コネクタを前記ＣＰＵ又は前記コントローラーに接続させることを特徴とする請求項１に記載の拡張コネクタを備えたマザーボード。
【請求項５】
前記ＣＰＵと前記コントローラーとの間で伝送された信号は、ダイレクト・メディア・インタフェース信号であることを特徴とする請求項２に記載の拡張コネクタを備えたマザーボード。
【発明の詳細な説明】
【技術分野】
【０００１】
本発明は、マザーボードに関して、拡張コネクタを備えたマザーボードに関するものである。
【背景技術】
【０００２】
ストレージ容量を増加させるために、現在、一般的には、マザーボードに拡張コネクタを設置して、該拡張コネクタを介して、拡張カードをマザーボードに接続する。しかし、ある拡張コネクタは２種類の信号を伝送することができるため、該拡張コネクタを使用する際、マザーボードから伝送された信号のタイプが、拡張カードが受信できる信号のタイプと異なる場合、拡張カードは使用できない又は損傷する可能性がある。
【発明の概要】
【発明が解決しようとする課題】
【０００３】
本発明の目的は、前記課題を解決し、拡張コネクタによる異なる信号の伝送を行うことができる拡張コネクタを備えたマザーボードを提供することである。
【課題を解決するための手段】
【０００４】
本発明に係る拡張コネクタを備えたマザーボードは、ＣＰＵと、拡張カードに着脱可能に接続される拡張コネクタと、前記ＣＰＵに電気的に接続されたスイッチと、前記スイッチに電気的に接続されたコントローラーと、を備え、前記ＣＰＵと前記スイッチとの間では、第一バス信号が伝送され、前記コントローラーと前記スイッチとの間では、第二バス信号が伝送され、前記スイッチは、前記拡張コネクタに電気的に接続され、前記拡張コネクタを前記ＣＰＵ又は前記コントローラーに選択的に接続させ、前記第一バス信号又は前記第二バス信号を送信する。
【発明の効果】
【０００５】
本発明の拡張コネクタを備えたマザーボードは、スイッチが取り付けられるため、このスイッチを制御することによって、拡張コネクタをＣＰＵ又はコントローラーに接続して、異なるバス信号経路を切り替えることができる。これにより、マザーボードと拡張カードとの間で伝送された信号のタイプが異なっても、拡張カードを使用することができる。
【図面の簡単な説明】
【０００６】
【図１】本発明の実施形態に係る拡張コネクタを備えたマザーボードのシステムのブロック図である。
【図２】図１に示す拡張コネクタを備えたマザーボードの切替制御部を示す図である。
【発明を実施するための形態】
【０００７】
以下、図面を参照して、本発明の実施形態について説明する。
【０００８】
図１を参照すると、拡張コネクタを備えたマザーボード１０は、コンピュータデータ、サーバーなどの端末装置に応用される。拡張コネクタを備えたマザーボード１０には、拡張カード３０が着脱可能に接続されている。
【０００９】
マザーボード１０は、ＣＰＵ１１と、ＣＰＵ１１に電気的に接続されたコントローラー１２と、ＣＰＵ１１とコントローラー１２に電気的に接続されたスイッチ１３と、スイッチ１３に電気的に接続された拡張コネクタ１４と、スイッチ１３に電気的に接続された切替制御部１５と、を備える。ＣＰＵ１１とコントローラー１２との間、ＣＰＵ１１とスイッチ１３との間、コントローラー１２とスイッチ１３との間、スイッチ１３と拡張コネクタ１４との間は、差動ペア線路を採用して物理的に接続されている。
【００１０】
ＣＰＵ１１とスイッチ１３との間では第一バス信号が伝送され、コントローラー１２とスイッチ１３との間では第二バス信号が伝送され、ＣＰＵ１１とコントローラー１２との間では第三バス信号が伝送される。本実施形態において、第一バス信号は、ピーシーアイエクスプレス（登録商標）（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ，ＰＣＩＥ）信号である。第二バス信号は、ＳＡＳ信号である。第三バス信号は、ダイレクト・メディア・インタフェース（ＤＭＩ）信号である。
【００１１】
拡張コネクタ１４は、拡張カード３０に着脱可能に接続されることに用いられる。本実施形態において、拡張コネクタ１４は、ＰＣＩＥ信号及びＳＡＳ信号の両方の信号を伝送することができるＰＣＩＥコネクタである。従って、拡張コネクタ１４は、ＰＣＩＥ拡張カード又はＳＡＳ拡張コネクタ１４に選択的に接続することによって、ＰＣＩＥ信号又はＳＡＳ信号を伝送することができる。
【００１２】
図２を参照すると、切替制御部１５は、スイッチ１３を制御することに用いられる。即ち、スイッチ１３を制御することによって、拡張コネクタ１４をＣＰＵ１１又はコントローラー１２に接続して、異なるバス信号経路を切り替えることができる。本実施形態において、切替制御部１５は、ジャンパブロック１５１及びジャンパプラグ１５３を備える。ジャンパプラグ１５３は、マザーボード１０に搭載されており、且つスイッチ１３に電気的に接続される。ジャンパプラグ１５３は、金属製のピンＡ、Ｂ、Ｃを含む。ジャンパブロック１５１を異なるピンに差すことで、対応するピン同士は電気接続されて、スイッチ１３を制御することができる。例えば、ジャンパブロック１５１をピンＡとピンＢとに差すと、ピンＡとピンＢとは電気接続して、スイッチ１３を制御することができる。これにより、拡張コネクタ１４をＣＰＵ１１に接続し、ＣＰＵ１１と拡張コネクタ１４との間の信号経路を構築することができる。マザーボード１０にＳＡＳ拡張カードを差す必要がある場合は、ジャンパブロック１５１をピンＢとピンＣとに差して電気接続し、スイッチ１３を制御することによって、拡張コネクタ１４をコントローラー１２に接続して、ＳＡＳ信号経路を構築する。
【００１３】
本発明の拡張コネクタを備えたマザーボード１０は、スイッチ１３が取り付けられるため、スイッチ１３を制御することによって、拡張コネクタ１４をＣＰＵ１１又はコントローラー１２に接続して、異なるバス信号経路を切り替えることができる。これにより、マザーボード１０と拡張カード３０との間で伝送された信号のタイプが異なっても、拡張カード３０を使用することができる。
【００１４】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、以下の特許請求の範囲から決まる。
【符号の説明】
【００１５】
１０  拡張コネクタを備えたマザーボード
１１  ＣＰＵ
１２  コントローラー
１３  スイッチ
１４  拡張コネクタ
１５  切替制御部
３０  拡張カード
１５１  ジャンパブロック
１５３  ジャンパプラグ
【図１】
2013161477.tif 000003
【図２】
2013161477.tif 000004